(57)【要約】【課題】塵埃が貯留される貯留部が取り付けられるグリルを降下させる際に塵埃の一部が脱落して室内空間へ落下する不具合を抑制する。【解決手段】室内空気を開口からユニット本体内に吸い込むターボファンと、ターボファンに吸い込まれる室内空気中の塵埃を捕集するエアフィルタと、エアフィルタに付着した塵埃を除去する塵埃除去機構と、吸込みグリルに取り付けられるダストボックスと、吸込みグリルを昇降させる昇降機構と、制御部と、を備え、制御部は、吸込みグリルをユニット本体から降下させる降下指示を操作者から受け付けた場合、ターボファンの回転を開始させるようターボファンを制御し、ターボファンの回転が開始されてから所定の起動時間が経過したことに応じて吸込みグリルをユニット本体から降下させるよう昇降機構を制御する室内機ユニットを提供する。【選択図】図８
2020148420.tif 000002
【特許請求の範囲】
【請求項１】
本体部と、
前記本体部に室内空気を吸入する開口に設置されるグリルと、
前記室内空気を前記開口から前記本体部内に吸い込むファンと、
前記本体部に取り付けられるとともに前記ファンに吸い込まれる前記室内空気中の塵埃を捕集するフィルタと、
前記フィルタに沿って移動することにより前記フィルタに付着した塵埃を除去する塵埃除去機構と、
前記グリルに取り付けられるとともに前記塵埃除去機構により除去された塵埃を貯留する貯留部と、
前記グリルを昇降させる昇降機構と、
前記ファンおよび前記昇降機構を制御する制御部と、を備え、
前記制御部は、前記グリルを前記本体部から降下させる降下指示を操作者から受け付けた場合、前記ファンの回転を開始させるよう前記ファンを制御し、前記ファンの回転が開始されてから所定の起動時間が経過したことに応じて前記グリルを前記本体部から降下させるよう前記昇降機構を制御する室内機ユニット。
【請求項２】
前記制御部は、前記グリルを前記本体部に装着される位置まで上昇させる上昇指示を前記操作者から受け付けた場合、前記本体部に装着されるまで前記グリルを上昇させるよう前記昇降機構を制御し、少なくとも前記グリルが前記本体部から降下してから再び前記本体部に装着されるまでは前記ファンが回転する状態を維持するよう前記ファンを制御する請求項１に記載の室内機ユニット。
【請求項３】
前記制御部は、前記上昇指示を前記操作者から受け付けた場合、前記グリルが前記本体部に装着されてから所定の待機時間が経過したことに応じて前記ファンの回転を停止させるよう前記ファンを制御する請求項２に記載の室内機ユニット。
【請求項４】
前記所定の起動時間は、３秒以上である請求項１から請求項３のいずれか一項に記載の室内機ユニット。
【請求項５】
前記塵埃除去機構および前記貯留部を前記フィルタに沿って該フィルタの一端部と他端部との間で移動させる駆動機構を備え、
前記制御部は、前記降下指示を前記操作者から受け付けた場合、前記塵埃除去機構および前記貯留部を前記一端部と前記他端部との中間位置の近傍に移動させるよう前記駆動機構を制御し、前記所定の起動時間が経過し、かつ前記塵埃除去機構および前記貯留部が前記中間位置の近傍へ移動したことに応じて前記グリルを前記本体部から降下させるよう前記昇降機構を制御する請求項１から請求項４のいずれか一項に記載の室内機ユニット。
【請求項６】
前記本体部は、天井内に設置されており、
前記ファンにより前記本体部へ吸い込まれた前記室内空気を室内へ吹き出す吹き出し口と、
前記吹き出し口に回動可能に設置されるフラップと、を備え、
前記制御部は、前記降下指示を前記操作者から受け付けた場合、前記室内空気が前記天井に沿った水平方向に前記吹き出し口から吹き出されるように前記フラップの回動角度を制御する請求項１から請求項５のいずれか一項に記載の室内機ユニット。
【請求項７】
請求項１から請求項６のいずれかに記載の室内機ユニットと、
前記室内機ユニットと冷媒配管を介して接続される室外機ユニットと、を備える空気調和機。
【発明の詳細な説明】
【技術分野】
【０００１】
本発明は、室内機ユニットおよび空気調和機に関するものである。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下してしまう。そこで、エアフィルタに付着した塵埃を取り除くために、エアフィルタを清掃する清掃部を備えた室内機ユニットが提案されている（例えば、特許文献１参照）。特許文献１では、清掃部が清掃時期に達した場合、制御部が、ファンモータを回転させる制御信号を出力し、その後に清掃部を吸込みグリルとともに降下させている。
【先行技術文献】
【特許文献】
【０００４】
【特許文献１】特開２０１３−５３８４６号公報
【発明の概要】
【発明が解決しようとする課題】
【０００５】
しかしながら、特許文献１では、ファンモータを回転させる制御信号を出力した後に清掃部を降下させているため、室内吸気の室内機ユニットへの流入が開始する前に清掃部が降下してしまう可能性がある。この場合、清掃部が降下する際に清掃部から塵埃の一部が脱落し、室内空間へ落下してしまう可能性がある。
【０００６】
本発明は、このような事情に鑑みてなされたものであって、塵埃が貯留される貯留部が取り付けられるグリルを降下させる際に塵埃の一部が脱落して室内空間へ落下する不具合を抑制することが可能な室内機ユニットおよび空気調和機を提供することを目的とする。
【課題を解決するための手段】
【０００７】
上記課題を解決するために、本発明の一態様に係る室内機ユニットは以下の手段を採用する。
本発明の一態様に係る室内機ユニットは、本体部と、前記本体部に室内空気を吸入する開口に設置されるグリルと、前記室内空気を前記開口から前記本体部内に吸い込むファンと、前記本体部に取り付けられるとともに前記ファンに吸い込まれる前記室内空気中の塵埃を捕集するフィルタと、前記フィルタに沿って移動することにより前記フィルタに付着した塵埃を除去する塵埃除去機構と、前記グリルに取り付けられるとともに前記塵埃除去機構により除去された塵埃を貯留する貯留部と、前記グリルを昇降させる昇降機構と、前記ファンおよび前記昇降機構を制御する制御部と、を備え、前記制御部は、前記グリルを前記本体部から降下させる降下指示を操作者から受け付けた場合、前記ファンの回転を開始させるよう前記ファンを制御し、前記ファンの回転が開始されてから所定の起動時間が経過したことに応じて前記グリルを前記本体部から降下させるよう前記昇降機構を制御する。
【０００８】
本発明の一態様に係る室内機ユニットによれば、グリルを本体部から降下させる降下指示を操作者から受け付けた場合、制御部は、グリルを本体部から降下させるのに先立ってファンの回転を開始させる。また、制御部は、所定の起動時間が経過して開口から本体部内への室内空気の流入が開始したことに応じてグリルを本体部から降下させる。そのため、グリルを本体部から降下させる時点で、開口から本体部内への室内空気の流入が開始されている状態となる。よって、グリルを降下させる際に塵埃の一部が脱落したとしても、その塵埃が室内空気の流れによって上昇する程度の重量のものであれば、室内空間へ落下せずにフィルタによって捕集される。このように、本発明の一態様に係る室内機ユニットによれば、塵埃が貯留される貯留部が取り付けられるグリルを降下させる際に塵埃の一部が脱落して室内空間へ落下する不具合を抑制することができる。
【０００９】
本発明の一態様に係る室内機ユニットにおいて、前記制御部は、前記グリルを前記本体部に装着される位置まで上昇させる上昇指示を前記操作者から受け付けた場合、前記本体部に装着されるまで前記グリルを上昇させるよう前記昇降機構を制御し、少なくとも前記グリルが前記本体部から降下してから再び前記本体部に装着されるまでは前記ファンが回転する状態を維持するよう前記ファンを制御する構成としてもよい。
【００１０】
上記構成の室内機ユニットによれば、少なくともグリルが本体部から降下してから再び本体部に装着されるまではファンが回転する状態が維持される。そのため、グリルが本体部に装着されない状態において、開口から本体部内へ室内空気が流入する状態が維持される。そのため、グリルの降下および上昇に伴って塵埃の一部がフィルタから脱落して室内空間へ落下する不具合を抑制することができる。
【００１１】
上記構成の室内機ユニットにおいて、前記制御部は、前記上昇指示を前記操作者から受け付けた場合、前記グリルが前記本体部に装着されてから所定の待機時間が経過したことに応じて前記ファンの回転を停止させるよう前記ファンを制御してもよい。
このようにすることで、グリルが本体部に装着されてから所定の待機時間が経過するまでは、開口から本体部内へ室内空気が流入する状態が維持される。そのため、グリルが本体部に装着されてからすぐにファンを停止させる場合に比べ、グリルの本体部への装着後に塵埃の一部がフィルタから脱落して室内空間へ落下する不具合を抑制することができる。
【００１２】
本発明の一態様に係る室内機ユニットにおいて、前記所定の起動時間は、例えば、３秒以上である。ファンの回転が開始されてから、例えば３秒以上経過した後にグリルを筐体から降下させることにより、開口から本体部内へ十分な量の室内空気が流入する状態でグリルを本体部から降下させることができる。
【００１３】
本発明の一態様に係る室内機ユニットにおいては、前記塵埃除去機構および前記貯留部を前記フィルタに沿って該フィルタの一端部と他端部との間で移動させる移動機構を備え、前記制御部は、前記降下指示を操作者から受け付けた場合、前記塵埃除去機構および前記貯留部を前記一端部と前記他端部との中間位置の近傍に移動させるよう前記移動機構を制御し、前記所定の起動時間が経過し、かつ前記塵埃除去機構および前記貯留部が前記中間位置の近傍へ移動したことに応じて前記グリルを前記本体部から降下させるよう前記昇降機構を制御してもよい。
【００１４】
塵埃除去機構および貯留部をフィルタの中間位置の近傍へ移動させることにより、塵埃除去機構および貯留部が、本体部内へ流入する室内空気が存在する領域の中心近傍に配置される。そのため、グリルを本体部から降下させる際に塵埃の一部が脱落した場合に、塵埃をより確実にフィルタに捕集することができる。
【００１５】
本発明の一態様に係る室内機ユニットにおいて、前記本体部は、天井内に設置されており、前記ファンにより前記本体部へ吸い込まれた前記室内空気を室内へ吹き出す吹き出し口と、前記吹き出し口に回動可能に設置されるフラップと、を備え、前記制御部は、前記降下指示を前記操作者から受け付けた場合、前記室内空気が前記天井に沿った水平方向に前記吹き出し口から吹き出されるように前記フラップの回動角度を制御してもよい。
【００１６】
吹き出し風が天井に沿った水平方向に吹き出し口から吹き出されるため、室内にいる利用者に吹き出し風が直接的に導かれることがない。また、吹き出し風を鉛直方向の下方に向けた成分を持たせないようにしているため、塵埃除去機構に付着した塵埃が吹き出し風によって下方へ落下することが抑制される。
【００１７】
本発明の一態様に係る空気調和機は、上記のいずれかの室内機ユニットと、前記室内機ユニットと冷媒配管を介して接続される室外機ユニットと、を備える。
本発明の一態様に係る空気調和機によれば、塵埃が貯留される貯留部が取り付けられるグリルを降下させる際に塵埃の一部が脱落して室内空間へ落下する不具合を抑制することができる。
【発明の効果】
【００１８】
本発明によれば、塵埃が貯留される貯留部が取り付けられるグリルを降下させる際に塵埃の一部が脱落して室内空間へ落下する不具合を抑制することが可能な室内機ユニットおよび空気調和機を提供することができる。
【図面の簡単な説明】
【００１９】
【図１】本発明の第１実施形態に係る空気調和機の全体構成を示す図である。
【図２】吸込みグリルを取り外した状態の天井パネルを下方からみた斜視図である。
【図３】天井パネルに組み込まれる塵埃除去機構の斜視図である。
【図４】吸込みグリル及び貯留部を室内機ユニットの本体部に装着した状態を示す図３のＡ−Ａ矢視断面図である。
【図５】吸込みグリル及び貯留部を室内機ユニットの本体部から降下させた状態を示す断面図である。
【図６】天井パネルの吸込みグリル及び貯留部を示す平面図である。
【図７】室内機ユニットの制御構成を示すブロック図である。
【図８】第１実施形態に係る室内機ユニットの制御部が実行する処理を示すフローチャートである。
【図９】第１実施形態に係る室内機ユニットの制御部が実行する処理を示すフローチャートである。
【図１０】第２実施形態に係る室内機ユニットの制御部が実行する処理を示すフローチャートである。
【図１１】第２実施形態に係る室内機ユニットの制御部が実行する処理を示すフローチャートである。
【図１２】吸込みグリル及び貯留部をエアフィルタの一端部と他端部の中間位置の近傍に移動させた状態を示す断面図である。
【図１３】吸込みグリル及び貯留部を室内機ユニットの本体部から降下させた状態を示す断面図である。
【発明を実施するための形態】
【００２０】
〔第１実施形態〕
以下、本発明の第１実施形態に係る空気調和機１について、図面を参照して説明する。図１は、本実施形態に係る天井埋込み型の空気調和機１の斜視図である。図１に示すように、空気調和機１は、室内の天井に設置される室内機ユニット２と、室外に設置される室外機ユニット３と、空気調和機１に対する操作者からの指示を受け付けるリモコン１００とを備える。室内機ユニット２と室外機ユニット３は、液管およびガス管からなる２本の冷媒配管４と電気配線５を介して接続されている。
【００２１】
図１に示すように、室外機ユニット３は、冷媒を圧縮する圧縮機６と、冷媒と外気とを熱交換させる室外熱交換器７と、室外熱交換器７に外気を流通させる室外ファン８と、制御ボックス９等を備える。室内機ユニット２は、天井内に設置される本体部１０と、本体部１０の下部に装着される天井パネル１１とを備える。
【００２２】
本体部１０内には、中央部にターボファン１２がファンモータ（図示略）を介して回転自在に設置され、ターボファン１２の周りを取り囲むように室内熱交換器１３が設置されている。また、ターボファン１２の下方には、室内空気をターボファン１２に導くベルマウス１４が配置されている。ターボファン１２は、鉛直方向に延びる軸線回りに回転することにより、室内空気を開口１５から本体部１０内に吸い込む吸込み力を発生させる。
【００２３】
本体部１０の下面には、下面を覆うように天井パネル１１が設けられている。天井パネル１１の中央部には、室内空気を吸込むための４角形状の開口（空気吸込み口）１５が設けられている。開口１５には、吸込みグリル１６が設置されている。吸込みグリル１６は、昇降機構１７により、天井パネル１１に対して、室内の床面近くまで降下されるように昇降自在とされている。
【００２４】
昇降機構１７は、吸込みグリル１６を本体部１０に対して鉛直方向に沿って昇降させる機構である。昇降機構１７は、ワイヤ１７ａと昇降モータ（図示略）を備える。昇降機構１７は、プーリ（図示略）が取り付けられた昇降モータを回転させることにより、プーリからワイヤ１７ａを巻き出して吸込みグリル１６を降下させるとともに、プーリにワイヤ１７ａを巻き取って吸込みグリル１６を上昇させる。
【００２５】
天井パネル１１には、空気吸込み口である開口１５の周りを取り囲むように、パネルの４辺に対応した空気吹き出し口１８が４箇所に設けられている。空気吹き出し口１８は、ターボファン１２により本体部１０へ吸い込まれ、室内熱交換器１３で冷却または加熱された室内空気を室内に吹き出す開口である。４つの空気吹き出し口１８には、吹出し風の風向を調整するためのフラップ１９がそれぞれ独立して回動可能に設置されている。
【００２６】
図２は、吸込みグリル１６を取り外した状態の天井パネル１１を下方からみた斜視図である。天井パネル１１の裏面側には、４角形状の開口１５と対応した形状の枠体２０が設けられている。天井パネル１１の枠体２０には、後述する塵埃除去機構２４が取付けられており、塵埃除去機構２４にターボファン１２に吸い込まれる空気中の塵埃を捕集する４角形状のエアフィルタ２１が設置されている。なお、図１は、塵埃除去機構２４及びエアフィルタ２１が外された状態を示している。
【００２７】
図３に示すように、塵埃除去機構２４に設定されたエアフィルタ２１は、強度部材として機能する格子状のフィルタ枠２１Ａとメッシュ面２１Ｂとからなる平面形状のエアフィルタであり、公知のエアフィルタを用いることができる。
【００２８】
次に、塵埃除去機構２４について、図面を参照して説明する。図３は、天井パネル１１に組み込まれる塵埃除去機構２４の平面図である。図４は、図３のＡ−Ａ矢視断面図である。図５は、吸込みグリル１６および貯留部３０を降下させた状態の縦断面である。図６は、天井パネルの吸込みグリル及び貯留部を示す平面図である。
【００２９】
図２および図３に示すように、枠体２０には、エアフィルタ２１により捕集された塵埃を自動的に除去してエアフィルタ２１を清掃する塵埃除去機構２４が組み込まれている。塵埃除去機構２４は、エアフィルタ２１と吸込みグリル１６との間に組み込まれている。図５に示すように、塵埃除去機構２４を構成している貯留部３０は、吸込みグリル１６に取り付けられており、吸込みグリル１６と共に昇降可能となっている。図５に示す上下方向の矢印は、吸込みグリル１６の昇降方向を示す。
【００３０】
エアフィルタ２１の下面側（室内側）と吸込みグリル１６との間には、一対の駆動機構２３と、塵埃除去機構２４とが設置されている。一対の駆動機構２３は、エアフィルタ２１を挟んで左右に平行に配置されている。一対の駆動機構２３は、塵埃除去機構２４および貯留部３０を、エアフィルタ２１に沿ってエアフィルタ２１の一端部（図４に示す右側端部）と他端部（図４に示す左側端部）との間で移動させる機構である。図４に示す左右方向の矢印は、塵埃除去機構２４の移動方向を示す。
【００３１】
一対の駆動機構２３のそれぞれは、エアフィルタ２１に沿って延長されたドライブシャフト２５と、ドライブシャフト２５を回転駆動するモータ２６と、ドライブシャフト２５を回転自在に支持する軸受け２７等を有する。ドライブシャフト２５は、外周に雄ネジが設けられたネジ軸とされており、一端部がモータ２６に連結され、他端部が軸受け２７により支持されることによって回転自在とされている。図３に示すように、モータ２６は、ドライブシャフト２５の一端部に連結されて配置され、かつエアフィルタ２１に対して対角線上に配置されている。
【００３２】
塵埃除去機構２４は、駆動機構２３を介してエアフィルタ２１の下面に沿って往復動することにより、エアフィルタ２１の下面に付着した塵埃を除去する機構である。塵埃除去機構２４は、左右一対の駆動機構２３の間に、駆動機構２３と直交する方向に配置される。塵埃除去機構２４は、その両端部が一対の駆動機構２３に連結されており、駆動機構２３から駆動機構２３の延長方向への駆動力が伝達される。塵埃除去機構２４は、駆動機構２３の延長方向に往復動することにより、エアフィルタ２１で捕集された塵埃を掻き取って除去する。
【００３３】
図３および図４に示すように、塵埃除去機構２４は、ブラシ部材２８と、ブラシ部材２８を支持するブラシ支持部材２９と、ブラシ部材２８により除去された塵埃Ｄを貯留する貯留部３０とを備えている。ブラシ部材２８は、ドライブシャフト２５の延長方向と直交する方向に延びる円筒状の部材であり、両端部がブラシ支持部材２９に回動可能に支持される。
【００３４】
ブラシ支持部材２９は、ブラシ部材２８の周囲を覆うとともに、ブラシ部材２８をその軸線回りに回転可能に支持するものである。図４に示すように、ブラシ支持部材２９は、エアフィルタ２１側および吸込みグリル１６側に面する上面および下面に、それぞれ開口２９Ａ，２９Ｂが設けられる。ブラシ部材２８は、開口２９Ａからエアフィルタ２１側に突出することにより、エアフィルタ２１の下面に当接可能となっている。エアフィルタ２１から除去された塵埃Ｄは、開口２９Ｂを介して貯留部３０に落下して貯留される。
【００３５】
ブラシ支持部材２９の長手方向の両端部には、左右一対の駆動機構２３のドライブシャフト２５が貫通され、ドライブシャフト２５の外周に設けられている雄ネジと噛み合わされる雌ネジ２９Ｃ（図３参照）が設けられている。これにより、塵埃除去機構２４の両端部は、左右一対の駆動機構２３に連結される。塵埃除去機構２４は、ドライブシャフト２５がモータ２６の駆動力で回転することにより、ドライブシャフト２５の延長方向に移動する。
【００３６】
図６には、吸込みグリル１６と貯留部３０との配置関係が示されている。貯留部３０は、図４および図５に示されるように、ブラシ部材２８およびブラシ支持部材２９と共に移動し、ブラシ部材２８によりエアフィルタ２１から除去された塵埃Ｄを貯留（捕集）する。貯留部３０は、エアフィルタ２１、ブラシ部材２８およびブラシ支持部材２９等から分離され、吸込みグリル１６に取り付けられている。
【００３７】
図６に示すように、貯留部３０には、収集部３１と、爪部３２と、誘導部３３とが設けられている。図４および図５に示すように、収集部３１は、貯留部３０の本体であり、ブラシ部材２８によりエアフィルタ２１から除去された塵埃Ｄを収集する凹部形状を有する。収集部３１は、吸込みグリル１６側に凹むものであり、エアフィルタ２１から除去された一定量の塵埃Ｄを蓄積することが可能な容積を有している。
【００３８】
爪部３２は、ブラシ部材２８およびブラシ支持部材２９の移動を貯留部３０に伝達するとともに、互いに分離されているブラシ部材２８およびブラシ支持部材２９と貯留部３０とを一体化させるための部材である。図６に示すように、爪部３２は、貯留部３０の上面の４隅に配置され、上方に向って突出し、４箇所の爪部３２内にブラシ支持部材２９が収納されている。ブラシ支持部材２９が貯留部３０の外側から内側に向って移動し、爪部３２の傾斜面と接触すると、爪部３２が弾性変形して回動することによりブラシ支持部材２９が４箇所の爪部３２内に納まる。
【００３９】
誘導部３３は、吸込みグリル１６側に設けられたレール３４と接触し、貯留部３０を吸込みグリル１６の面に沿って移動させるものである。誘導部３３には、貯留部３０における長手方向の両端のそれぞれに一対の車輪３５が設けられている。車輪３５は、吸込みグリル１６の面に対して直交方向に延びる回転軸線まわりに回転可能に支持された円柱状の部材である。車輪３５の円周面には、レール３４が配置される円環状の溝が形成されている。
【００４０】
レール３４は、吸込みグリル１６に対して着脱可能な板状の部材である。レール３４には、吸込みグリル１６の面に沿って延びるとともに、吸込みグリル１６の外側から内側に向って延びる突出部が設けられ、レール３４の突出部と車輪３５の溝とが噛み合わされている。
【００４１】
次に、室内機ユニット２の制御構成について図面を参照して説明する。図７は、室内機ユニット２の制御構成を示すブロック図である。図７に示すように、本実施形態の室内機ユニット２は、制御部５０を備える。制御部５０は、ターボファン１２と、昇降機構１７と、フラップ１９と、駆動機構２３と、を含む室内機ユニット２の各部を制御する。空気調和機１の操作者は、リモコン１００を介して操作者の指示を受け付け、受け付けた指示に応じた制御信号を制御部５０に対して無線通信により送信する。制御部５０は、リモコン１００を介して受け付けた操作者に指示に応じて、室内機ユニット２の各部を制御する。
【００４２】
次に、本実施形態の制御部５０が実行する処理について図面を参照して説明する。図８および図９は、制御部５０が吸込みグリル１６を降下させる指示を受け付けた場合に実行する処理を示すフローチャートである。制御部５０は、リモコン１００を介して操作者の指示を受け付けた場合、受け付けた指示に応じた処理を実行する。制御部５０は、記憶部（図示略）に記憶されたプログラムを読み出して実行することにより、以下で説明する各種の処理を実行する。
【００４３】
ステップＳ８０１で、制御部５０は、吸込みグリル１６を本体部１０から降下させる降下指示を操作者から受け付けたかどうかを判定し、ＹＥＳであればステップＳ８０２へ処理を進める。制御部５０は、操作者がリモコン１００を介して吸込みグリル１６を降下させる降下指示を入力し、降下指示に応じた制御信号をリモコン１００から受信した場合に、ＹＥＳと判定する。
【００４４】
ステップＳ８０２で、制御部５０は、吸込みグリル１６の降下指示を受け付けたことに応じて、空気吹き出し口１８から吹き出される吹き出し風の吹き出し方向を水平方向に設定するようフラップ１９の回動角度を制御する。これにより、吹き出し風は、天井に沿った水平方向に空気吹き出し口１８から吹き出されるようになる。
【００４５】
ここで、吹き出し方向を水平方向に設定しているのは、室内にいる空気調和機１の利用者に吹き出し風を導かないようにするためである。また、吹き出し風を鉛直方向の下方に向けた成分を持たせないようにして、塵埃除去機構２４に付着した塵埃が吹き出し風によって下方へ落下することを抑制するためである。
【００４６】
ステップＳ８０３で、制御部５０は、吸込みグリル１６の降下指示を受け付けたことに応じて、ターボファン１２の回転を開始させるようターボファン１２のファンモータを制御する。ターボファン１２の回転を開始させることにより、ターボファンによる本体部１０内への室内空気の吸込みが開始する。
【００４７】
ステップＳ８０４で、制御部５０は、ターボファン１２の回転が開始されてから所定の起動時間が経過したかどうかを判定し、ＹＥＳであればステップＳ８０５へ処理を進める。ここで、所定の起動時間は、例えば、３秒以上の任意の時間である。所定の起動時間を設けているのは、開口１５から本体部１０の内部へ十分な量の室内空気が流入する状態とした後に、吸込みグリル１６を降下させるためである。
【００４８】
ターボファン１２の回転が開始された直後は、開口１５から本体部１０の内部へ十分な量の室内空気が流入していない。そのため、ターボファン１２の回転が開始された直後に吸込みグリル１６を降下させてしまうと、塵埃除去機構２４から脱落した塵埃がそのまま室内へ降下してしまう。開口１５から本体部１０の内部へ十分な量の室内空気が流入する状態とした後に、吸込みグリル１６を降下させることで、塵埃除去機構２４から塵埃が脱落したとしても、塵埃を吸引してエアフィルタ２１で捕集することができる。
【００４９】
ステップＳ８０５で、制御部５０は、ターボファン１２の回転が開始されてから所定の起動時間が経過したことに応じて、吸込みグリル１６を本体部１０の枠体２０から降下させるよう昇降機構１７を制御する。制御部５０は、昇降機構１７の昇降モータを回転させてワイヤ１７ａをプーリから巻き出すことにより吸込みグリル１６および貯留部３０を降下させる。吸込みグリル１６が本体部１０から降下すると、図４に示す状態から図５に示す状態に切り替わる。
【００５０】
ステップＳ８０６で、制御部５０は、吸込みグリル１６を本体部１０に装着される位置まで上昇させる上昇指示を操作者から受け付けたかどうかを判定し、ＹＥＳであればステップＳ８０７へ処理を進める。制御部５０は、操作者がリモコン１００を介して吸込みグリル１６を上昇させる上昇指示を入力し、上昇指示に応じた制御信号をリモコン１００から受信した場合に、ＹＥＳと判定する。
【００５１】
ステップＳ８０７で、制御部５０は、上昇指示を操作者から受け付けたことに応じて、吸込みグリル１６を本体部１０に装着される位置まで上昇させるよう昇降機構１７を制御する。制御部５０は、昇降機構１７の昇降モータを回転させてワイヤ１７ａをプーリに巻き取ることにより吸込みグリル１６および貯留部３０を上昇させる。吸込みグリル１６が本体部１０から上昇すると、図５に示す状態から図４に示す状態に切り替わる。
【００５２】
ステップＳ８０８で、制御部５０は、吸込みグリル１６が本体部１０に装着されたかどうかを判定し、ＹＥＳであればステップＳ８０９へ処理を進める。制御部５０は、例えば、ワイヤ１７ａの巻き取りを開始してからの昇降モータの累積回転数に基づいて、吸込みグリル１６が本体部１０に装着されたかどうかを判定する。また、制御部５０は、例えば、吸込みグリル１６が本体部１０に装着されたかどうかを検知するセンサ（図示略）から装着を示す信号を受信したことに応じて、吸込みグリル１６が本体部１０に装着されたと判定してもよい。
【００５３】
ステップＳ８０９で、制御部５０は、吸込みグリル１６が本体部１０に装着されてから所定の待機時間が経過したかどうかを判定し、ＹＥＳであればステップＳ８１０へ処理を進める。ここで、所定の待機時間は、例えば、３秒以上の任意の時間である。
【００５４】
ステップＳ８１０で、制御部５０は、吸込みグリル１６が本体部１０に装着されてから所定の待機時間が経過したことに応じて、ターボファン１２の回転を停止させるようターボファン１２を制御し、図８に示す処理を終了する。制御部５０は、ターボファン１２のファンモータに停止信号を送信することにより、ターボファン１２の回転を停止させる。
【００５５】
制御部５０は、ステップＳ８０２でターボファン１２の回転を開始させてから、ステップＳ８１０でターボファン１２の回転を停止させるまで、ターボファン１２が回転する状態を維持する。この場合、吸込みグリル１６の本体部１０からの降下が開始された後、吸込みグリル１６が再び上昇して本体部１０に装着され、更に所定の待機時間が経過するまで、ターボファン１２が回転する状態が維持される。
【００５６】
なお、以上の説明では、制御部５０は、吸込みグリル１６が本体部１０に装着されてから所定の待機時間が経過したことに応じてターボファン１２の回転を停止させるものとしたが、他の態様であってもよい。例えば、制御部５０は、ステップＳ８０９の処理を省略し、吸込みグリル１６が本体部１０に装着されたことに応じてターボファン１２の回転を停止させてもよい。この場合、吸込みグリル１６の本体部１０からの降下が開始された後、吸込みグリル１６が再び上昇して本体部１０に装着されるまで、ターボファン１２が回転する状態が維持される。
【００５７】
以上説明した本実施形態の室内機ユニット２が奏する作用および効果について説明する。
本実施形態の室内機ユニット２によれば、吸込みグリル１６を本体部１０から降下させる降下指示を操作者から受け付けた場合、制御部５０は、吸込みグリル１６を本体部１０から降下させるのに先立ってターボファン１２の回転を開始させる。また、制御部５０は、所定の起動時間が経過して開口１５から本体部１０内への室内空気の流入が開始したことに応じて吸込みグリル１６を本体部１０から降下させる。
【００５８】
そのため、吸込みグリル１６を本体部１０から降下させる時点で、開口１５から本体部１０内への室内空気の流入が開始されている状態となる。よって、吸込みグリル１６を降下させる際に塵埃の一部が脱落したとしても、その塵埃が室内空気の流れによって上昇する程度の重量のものであれば、室内空間へ落下せずにエアフィルタ２１によって捕集される。このように、本実施形態の室内機ユニット２によれば、塵埃が貯留される貯留部３０が取り付けられる吸込みグリル１６を降下させる際に塵埃の一部が脱落して室内空間へ落下する不具合を抑制することができる。
【００５９】
本実施形態の室内機ユニット２によれば、少なくとも吸込みグリル１６が本体部１０から降下してから再び本体部１０に装着されるまではターボファン１２が回転する状態が維持される。そのため、吸込みグリル１６が本体部１０に装着されない状態において、開口１５から本体部１０内へ室内空気が流入する状態が維持される。そのため、吸込みグリル１６の降下および上昇に伴って塵埃の一部がエアフィルタ２１から脱落して室内空間へ落下する不具合を抑制することができる。
【００６０】
本実施形態の室内機ユニット２によれば、吸込みグリル１６が本体部１０に装着されてから所定の待機時間が経過するまでは、開口１５から本体部１０内へ室内空気が流入する状態が維持される。そのため、吸込みグリル１６が本体部１０に装着されてからすぐにターボファン１２を停止させる場合に比べ、吸込みグリル１６の本体部１０への装着後に塵埃の一部がエアフィルタ２１から脱落して室内空間へ落下する不具合を抑制することができる。
【００６１】
本実施形態の室内機ユニット２によれば、吹き出し風が天井に沿った水平方向に空気吹き出し口１８から吹き出されるため、室内にいる利用者に吹き出し風が直接的に導かれることがない。また、吹き出し風を鉛直方向の下方に向けた成分を持たせないようにしているため、塵埃除去機構２４に付着した塵埃が吹き出し風によって下方へ落下することが抑制される。
【００６２】
〔第２実施形態〕
次に、本発明の第２実施形態に係る空気調和機について説明する。第２実施形態は、第１実施形態の変形例であり、以下で特に説明する場合を除き、第１実施形態と同様であるものとし、以下での説明を省略する。
【００６３】
第１実施形態の空気調和機は、塵埃除去機構２４および貯留部３０をエアフィルタ２１の端部に配置した状態で吸込みグリル１６を降下させるものであった。それに対して、本実施形態の空気調和機は、塵埃除去機構２４および貯留部３０をエアフィルタ２１の中央に移動させた後に吸込みグリル１６を降下させるものである。
【００６４】
次に、本実施形態の制御部５０が実行する処理について図面を参照して説明する。図１０および図１１は、制御部５０が吸込みグリル１６を降下させる指示を受け付けた場合に実行する処理を示すフローチャートである。制御部５０は、リモコン１００を介して操作者の指示を受け付けた場合、受け付けた指示に応じた処理を実行する。制御部５０は、記憶部（図示略）に記憶されたプログラムを読み出して実行することにより、以下で説明する各種の処理を実行する。
【００６５】
図１０および図１１に示す各処理において、ステップＳ１００１，ステップＳ１００３，ステップＳ１００４は、第１実施形態のステップＳ８０１，ステップＳ８０２，ステップＳ８０３と同様であるので、以下での説明を省略する。また、ステップＳ１００５〜ステップＳ１００９は、第１実施形態のステップＳ８０４〜ステップＳ８０８と同様であるので、以下での説明を省略する。また、ステップＳ１０１０，ステップＳ１０１１は、第１実施形態のステップＳ８０９，ステップＳ８１０と同様であるので、以下での説明を省略する。
【００６６】
本実施形態に特有の処理は、ステップＳ１００２およびステップＳ１０１２である。
ステップＳ１００２で、制御部５０は、吸込みグリル１６の降下指示を受け付けたことに応じて、塵埃除去機構２４および貯留部３０をエアフィルタ２１の一端部２１ａと他端部２１ｂとの中間位置の近傍に移動させるよう駆動機構２３を制御する。
【００６７】
図１２は、ステップＳ１００２により、吸込みグリル１６及び貯留部３０をエアフィルタ２１の一端部２１ａと他端部２１ｂの中間位置の近傍に移動させた状態を示す断面図である。ここで、中間位置の近傍とは、例えば、エアフィルタ２１の一端部２１ａと他端部２１ｂの中点（中間位置）を中心とし、一端部２１ａと他端部２１ｂを結ぶ距離の１／２の範囲に含まれる任意の位置である。中間位置の近傍として、エアフィルタ２１の一端部２１ａと他端部２１ｂの中点の位置を設定するのが望ましい。その後、ステップＳ１００６で吸込みグリル１６を降下させると、図１３に示す状態となる。
【００６８】
一方、ステップＳ１０１２で、制御部５０は、制御部５０は、吸込みグリル１６の上昇指示を受け付けたことに応じて、塵埃除去機構２４および貯留部３０をエアフィルタ２１の一端部２１ａと他端部２１ｂとの中間位置の近傍から一端部２１ａの近傍へ移動させるよう駆動機構２３を制御する。
【００６９】
本実施形態の室内機ユニット２によれば、制御部５０は、吸込みグリル１６の降下指示を操作者から受け付けた場合、塵埃除去機構２４および貯留部３０をエアフィルタ２１の一端部２１ａと他端部２１ｂとの中間位置の近傍に移動させるよう駆動機構２３を制御する。そして、所定の起動時間が経過し、かつ塵埃除去機構２４および貯留部３０が中間位置の近傍へ移動したことに応じて吸込みグリル１６を本体部１０から降下させるよう昇降機構１７を制御する。
【００７０】
塵埃除去機構２４および貯留部３０をエアフィルタ２１の中間位置の近傍へ移動させることにより、塵埃除去機構２４および貯留部３０が、本体部１０内へ流入する室内空気が存在する領域の中心近傍に配置される。そのため、吸込みグリル１６を本体部１０から降下させる際に塵埃の一部が脱落した場合に、塵埃をより確実にエアフィルタ２１に捕集することができる。
【符号の説明】
【００７１】
１      空気調和機
２      室内機ユニット
３      室外機ユニット
４      冷媒配管
１５    開口
１６    吸込みグリル
１７    昇降機構
１８    空気吹き出し口
１９    フラップ
２１    エアフィルタ
２１ａ  一端部
２１ｂ  他端部
２３    駆動機構
２４    塵埃除去機構
３０    貯留部
１００  リモコン
Ｄ      塵埃
【図１】
2020148420.tif 000003
【図２】
2020148420.tif 000004
【図３】
2020148420.tif 000005
【図４】
2020148420.tif 000006
【図５】
2020148420.tif 000007
【図６】
2020148420.tif 000008
【図７】
2020148420.tif 000009
【図８】
2020148420.tif 000010
【図９】
2020148420.tif 000011
【図１０】
2020148420.tif 000012
【図１１】
2020148420.tif 000013
【図１２】
2020148420.tif 000014
【図１３】
2020148420.tif 000015